(57)【要約】【課題】狭いスペースの片側に一列に連設することで駐車場の屋上を支持できる片持ち支柱、及びこれによって容易に構成できる屋上付き駐車場の提供。【解決手段】複数それを地上に連設し、連設したそれらを繋ぐ仮装線の一方側に張り出す状態で、それらの上部間を縦桁材８及び横桁材７で繋いで駐車場の屋上用構造を構成するために使用する鉄筋コンクリート製の片持ち支柱１であって、複数のそれを各々直立状態に連設して使用する支柱本体２と、支柱本体２の上端に構成する桁材取付部３であって、仮装線に直交する向きに延長した縦向き桁材取付部３ａ及び仮装線に沿って両側に延長した横向き桁材取付部３ｂからなる桁材取付部３と、支柱本体２の下端に構成する支持脚部４であって、前記仮装線に直交する向きに延長した縦向き脚部４ａ及び該仮装線に沿って両側に延長した横向き脚部４ｂからなる支持脚部４とで構成した片持ち支柱１である。【選択図】  図１
2004257045.tif 000002
【特許請求の範囲】
【請求項１】
複数のそれを地上に連設し、連設したそれらを繋ぐ仮装線の一方側に張り出す状態で、それらの上部間を桁材で繋いで駐車場の屋上用構造を構成するために使用する鉄筋コンクリート製の片持ち支柱であって、
複数のそれを各々直立状態に連設して使用する支柱本体と、
該支柱本体の上端に構成する桁材取付部であって、前記仮装線に直交する向きに延長した縦向き桁材取付部及び該仮装線に沿って両側に延長した横向き桁材取付部からなる桁材取付部と、
前記支柱本体の下端に構成する支持脚部であって、前記仮装線に直交する向きに延長した縦向き脚部及び該仮装線に沿って両側に延長した横向き脚部からなる支持脚部と、
で構成した片持ち支柱。
【請求項２】
前記支持脚部の縦向き脚部を、その先端延長部が基部より低い位置に位置しているように構成し、かつ横向き脚部を該基部から両側に水平に延長するように構成した請求項１の片持ち支柱。
【請求項３】
前記片持ち支柱を構成するコンクリートに炭素繊維を２〜８ｗｔ％含有させた請求項１又は２の片持ち支柱。
【請求項４】
請求項１、２又は３の片持ち支柱を地上に連設し、それらの桁材取付部の縦向き桁材取付部にそれらを延長する状態に縦桁材を取り付け、該桁材取付部の横向き桁材取付部及び該縦桁材を利用して、該縦桁材の先端から基部端までの間に所定間隔で該縦桁材と直交する向きに横桁材を取り付け、更にこれら縦桁材及び横桁材によって構成された屋上用構造に板材を配して屋上を構成し、加えて該屋上に物置を配し、かつ該屋上と地上との間を結ぶ階段を付設してなる屋上付き駐車場。
【請求項５】
前記屋上と地上との間を結ぶ手荷物昇降用のエレベータを付設した請求項４の屋上付き駐車場。
【発明の詳細な説明】
【０００１】
【発明の属する技術分野】
本発明は片持ち支柱及びこれを用いた屋上付き駐車場に関するものである。更に詳述すれば、本発明は、これを用いることにより狭い場所でも一階を駐車場に構成し、屋上を物置設置スペース、遊び場スペース又は作業場設置スペースその他自由な用途のスペースとして有効に用いることができる、鉄筋コンクリート製の片持ち支柱とこれを用いた屋上付き駐車場に関するものである。
【０００２】
【従来の技術】
自動車の利用はごく一般的であり、駐車場の需要は多い。一方、都会では土地に余裕はなく、空きスペースを駐車場として利用すると、物置や作業用のスペース、或いは子供の遊び場などのスペースは殆どなくなってしまうのが実情である。そこでわずかな土地に自動車の利用上必然的である駐車場を設置する場合には、該駐車場を立体化して二階には物置や作業場などを設置して少しでも有効に活用しようとすることは自然の発想である。
【０００３】
しかしながら駐車場の上を物置スペースその他の何らかの有用な用途に用いようとすると、階上の床を支える支柱が必要となってくる。この支柱を立てることは、狭い場所ではなかなか難しい場合がある。
【０００４】
例えば、一階を駐車場に、二階を物置等に構成する場合は、通常、支柱を少なくともその四隅に立設する必要がある。このような場合には、必要な基礎工事を行なって支柱を立ち上げ、その支柱を支えにして桁材を配する。一階は駐車場とするものであるから、予め、地面を少し掘り下げ砂利などを敷き、かつ縦横に鉄筋を配してコンクリートを打設しておく。他方、二階は、支柱の上に縦横に配した桁材に板材などを配して床を構成する。この床上には物置等を配置し、周囲に手摺などを巡らせる。このようにして完成した二階は、上記物置の他、作業所や居住空間としても利用することが可能である。或いは子供の遊び場スペースとしても利用可能である。
【０００５】
このような駐車場及び階上の物置等は一般的に考え得る構成である。しかし土地が非常に狭い場合には、四隅に支柱を立設することが困難であり、以上のような物置等の付いている駐車場を構成することは採用不可となる。
【０００６】
従って特に利用する土地に限りがある都会で、その土地を最大限に有効利用し、一階に駐車場を、二階に物置その他の自由に利用可能なスペースを確保しうる簡易な屋上付き駐車場を、一階側及びその周囲の土地の有効利用の観点から障害を生じない支柱で構築しうる技術が望まれている。
【０００７】
【発明が解決しようとする課題】
本発明は、以上のような従来技術の問題点を解決し、狭いスペースでも片側に一列に並べた片持ち支柱だけで一階は駐車場に、二階は物置その他の種々の利用スペースに構成することができる、片持ち支柱及びこれを用いた屋上付き駐車場を提供することを解決の課題とするものである。
【０００８】
【課題を解決するための手段】
本発明の１は、複数のそれを地上に連設し、連設したそれらを繋ぐ仮装線の一方側に張り出す状態で、それらの上部間を桁材で繋いで駐車場の屋上用構造を構成するために使用する鉄筋コンクリート製の片持ち支柱であって、
複数のそれを各々直立状態に連設して使用する支柱本体と、
該支柱本体の上端に構成する桁材取付部であって、前記仮装線に直交する向きに延長した縦向き桁材取付部及び該仮装線に沿って両側に延長した横向き桁材取付部からなる桁材取付部と、
前記支柱本体の下端に構成する支持脚部であって、前記仮装線に直交する向きに延長した縦向き脚部及び該仮装線に沿って両側に延長した横向き脚部からなる支持脚部と、
で構成した片持ち支柱である。
【０００９】
前記仮装線は、前記のように、連設した複数の片持ち支柱の支柱本体間を繋ぐ仮装の線であり、この仮装線の一方側に張り出す状態に桁材によって屋上用構造が構成されることとなる。この屋上用構造には、云うまでもなく、駐車場の天井を兼ねる屋上が構成される。
【００１０】
前支柱本体は鉄筋コンクリートで構成した支柱部材である。この支柱本体は、これを利用して構成した駐車場の屋上の用途上必要な耐荷重を確保していれば、その断面形状やコンクリートの配合等は問わない。ただし、その横断面を平面から見た形状が、やや前記仮装線に沿った方向に長い長方形を基本として、該仮装線と直交する前方に若干突出した突出部を有する形状が、その強度を十分に確保する上で好ましい。
【００１１】
前記桁材取付部は、前記したように、前記支柱本体の上端に位置し、前記仮装線に直交する向きに延長した縦向き桁材取付部と、該仮装線に沿って両側に延長した横向き桁材取付部とからなり、当然、鉄筋コンクリートで前記支柱本体と一体に構成するものである。これらの縦向き桁材取付部及び横向き桁材取付部は、既述のように、屋上用構造を構成するための縦方向又は横方向の桁材を取り付けるものであり、そのために、その上面には予め桁材取り付け用の埋め込みボルトを立設しておき、若しくは埋め込みナットを配しておき、これにボルトをねじ込めるようにしておくのが良い。
【００１２】
このように構成しておくことで、縦向き桁材取付部には、都合良く縦方向（前記仮装線に直交する向き）に桁材を載せると共に、これをボルト等によりその上に固定し、縦方向の長さを該縦桁材によって適切な長さに延長することができる。該縦向き桁材取付部の両側から仮装線に沿って両側方向に延長する横向き桁材取付部には、それぞれ、都合良く横方向に桁材を載せると共に、これをボルト等によりその上に固定し、横方向に連設した片持ち支柱相互を該横桁材によって連結することができる。
【００１３】
また縦向き桁材取付部に固定した縦桁材に、その先端から基部端までの間に、前記横向き桁材取付部に配した横桁材と平行に、かつ定間隔で横桁材を配し、横方向に連設した片持ち支柱相互の縦向き桁材取付部に固定した縦桁材相互を、これらの横桁材で連結することができる。こうして横方向に連設した片持ち支柱の上端に構成した桁材取付部及びその縦向き桁取付部に固定した縦桁材を利用して、縦横に桁材を配することにより、容易に屋上用構造を構成することができる。
【００１４】
前記支持脚部は、前記したように、前記支柱本体の下部に位置し、前記桁材取付部が一方側にのみ突出する片持ちの構成であるため、特に負荷の掛かることとなる側に該支柱本体が倒れることがないように支持する支持手段であり、これも当然、鉄筋コンクリートにより前記支柱本体と一体に構成するものである。
【００１５】
該支持脚部は、具体的には、先に述べたように、該支柱本体の下端から前記仮装線に直交する向きに延長した縦向き脚部と、該仮装線に沿って両側に延長した横向き脚部とからなるものであり、前記したように、特に前記桁材取付部の縦向き桁材取付部の突出する方向に突出させる縦向き脚部は可能な限り長く形成するのが適当である。
【００１６】
従って本発明の１の片持ち支柱によれば、何らかの建造物に挟まれた細長いスペース等に於いても片側に一列に並べて立設することで、一階には駐車場とした屋上付き駐車場を容易に実現することができる。
【００１７】
屋上付き駐車場を構成する場合は、該当するスペースの縁等に沿って所定間隔で片持ち支柱を立設する。各片持ち支柱を立設する場所にはそれぞれ必要な範囲を掘り下げて砂利を敷き、捨てコンクリートを配しておくのが適当である。またこれらの片持ち支柱を利用して構成する駐車場スペースとなる範囲も若干掘り下げて砂利を敷き、鉄筋を配してコンクリートを打設しておくのが適当であり、これは片持ち支柱の設置場所の捨てコンクリートと同時に構成するのが適当である。
【００１８】
各片持ち支柱は、前記捨てコンクリート上にその支持脚部を配し、必要に応じて更にその周囲にコンクリートを打設して固定する。そして該コンクリートの硬化後にその周囲を埋め戻し、該各片持ち支柱の支持脚部を地中に埋設状態にする。
【００１９】
屋上は各片持ち支柱の桁材取付部を利用して構成することができる。該桁材取付部を利用して支柱本体の上部から縦桁材及び横桁材を延長状態に配し、これによって一列に並んだ複数の片持ち支柱の一方側に駐車場の屋上用構造を構成し、更に該屋上用構造に適当な板材等を配設することにより屋上を構成することができる。
【００２０】
上記屋上は、そのままでもある程度は使用可能であるが、その上に、物置を設置したり、周囲に手摺りを設置したりするとより有用となる。いずれにしても本発明の１の片持ち支柱によれば、何らかの建造物の間のような狭いスペースであっても容易に屋上付き駐車場を構成することができ、狭い土地の有効利用を図ることができる。
【００２１】
本発明の２は、本発明の１の片持ち支柱に於いて、前記支持脚部の縦向き脚部を、その先端延長部が基部より低い位置に位置しているように構成し、かつ横向き脚部を該基部から両側に水平に延長するように構成したものである。
【００２２】
前記支持脚部の縦向き脚部は、前記のように、先端延長部を基部より低い位置に位置するように構成するものであるが、そのための構成は自由である。例えば、支柱本体の基部から低い位置にある先端延長部に向かって直線的に下降傾斜させた構成、基部から水平に若干延長してから先端延長部に向かって下降傾斜させる構成、基部から必要な高さまで下降傾斜させた後、その部位から先端延長部に向かって水平に延長した構成等である。こうして支柱本体の基部と縦向き脚部の先端延長部との間に所定の高低差を生じさせる。
【００２３】
前記支持脚部の縦向き脚部をこのように構成することで、片持ち支柱が前方に傾くのを効果的に防止することができることとなる。
【００２４】
また支柱本体の基部から両側に水平に伸びている横向き脚部は、前記桁材取付部の横向き桁材取付部と同様に構成することができる。もっともその寸法形状は、設置される片持ち支柱に加わる左右方向の外力に応じて、これに耐えられるように決定すべきものである。通常縦向き脚部よりは小さくても良い。
【００２５】
従って、本発明の２の片持ち支柱によれば、支柱本体に特に縦方向に大きな荷重が加わってもこれが傾くことを効果的に防止することができることとなる。
【００２６】
本発明の３は、本発明の１又は２の片持ち支柱に於いて、前記片持ち支柱を構成するコンクリートに炭素繊維を２〜８ｗｔ％含有させたものである。
【００２７】
上記炭素繊維の含有割合は本発明の片持ち支柱の想定している通常のサイズ及びこれが受ける負荷等を考慮して実験的経験的に設定したものである。
【００２８】
従って本発明の３の片持ち支柱によれば、片持ち支柱の強度を高く維持することが可能となる。それ故、本発明の片持ち支柱によって構成される屋上付き駐車場の安全性が高く維持できるものとなる。
【００２９】
本発明の４は、請求項１、２又は３の片持ち支柱を地上に連設し、それらの桁材取付部の縦向き桁材取付部にそれらを延長する状態に縦桁材を取り付け、該桁材取付部の横向き桁材取付部及び該縦桁材を利用して、該縦桁材の先端から基部端までの間に所定間隔で該縦桁材と直交する向きに横桁材を取り付け、更にこれら縦桁材及び横桁材によって構成された屋上用構造に板材を配して屋上を構成し、加えて該屋上に物置を配し、かつ該屋上と地上との間を結ぶ階段を付設してなる屋上付き駐車場である。
【００３０】
前記片持ち支柱の数は、該片持ち支柱の上に設置する屋上の広さ、載置する物置等の数やサイズを考慮して適宜決定することとなる。つまり、屋上のスペースをどんな目的に使用するかによって決定するわけである。また前記縦桁材及び前記横桁材としては、必要な強度を有する直線状の建材が適当であり、具体的には、Ｈ型鋼を採用することができる。勿論、場合によっては、木材で十分な場合もありうる。
【００３１】
前記縦桁材及び横桁材によって構成した屋上用構造には、板材を配して屋上を構成するものであるが、この板材としては、金属板であれ、その他の材質の板材であれ、必要な強度等を確保できれば、採用可能である。使用する目的や用途に応じて適宜選択することとなる。
【００３２】
屋上には転落防止のために手摺を設けることも勿論可能であり、当事者が任意に行なうことができる。また屋上の上面にはタイルカーペットなどを貼って、外観を綺麗に、或いは安全に子供たちが遊べるようにすることも可能である。
【００３３】
地上と屋上を結ぶ階段は一般的な建築技術によって構成することができる。
【００３４】
従って本発明の４の屋上付き駐車場によれば、都会に多く見られるような狭いスペース、つまり、四隅に支柱を設置するだけの余裕がない狭い土地に於いても、容易に設置することができる。
【００３５】
本発明の５は、本発明の４の屋上付き駐車場に於いて、前記屋上と地上との間を結ぶ手荷物昇降用のエレベータを付設したものである。
【００３６】
前記エレベータは電動でも手動でも良い。このエレベータは、老人や身体障害者が容易に操作できるようなものとする。
【００３７】
従って本発明の５の屋上付き駐車場によれば、老人や身体障害者であっても簡単に荷物を屋上に移動させ、屋上に物置が設置してあり、これに収納する場合は、これを容易に行うことが可能となる。
【００３８】
【発明の実施の形態】
以下、発明の実施の形態を実施例に基づき、かつ添付図を参照しつつ詳細に説明する。
【００３９】
＜実施例＞
この実施例は、その躯体を片持ち支柱１を用いて構成し、一階を駐車場に、その屋上に物置を配した例である。
【００４０】
初めに躯体を構成する片持ち支柱１について説明する。
該片持ち支柱１は、図１（ａ）、（ｂ）、（ｃ）に示すように、基本的に、支柱本体２と、該支柱本体２の上端に構成した桁材取付部３と、前記支柱本体２の下端に構成した支持脚部４とからなるものである。
【００４１】
前記支柱本体２は、図１（ｄ）に示すように、前方（縦方向）にリブ状に膨らむ横断面凸型に形成した柱体であり、炭素繊維を６ｗｔ％混入したコンクリートを採用し鉄筋を配して、後述するように、前記桁材取付部３及び前記支持脚部４と一体に成形したものである。前記リブ状に膨らむ部位は柱体を補強する役割を果たす。
【００４２】
前記桁材取付部３は、図１（ａ）、（ｂ）、（ｃ）に示すように、前記支柱本体２の上端に構成した縦向き桁材取付部３ａ及び横向き桁材取付部３ｂからなり、既に述べたように、前記支柱本体２と鉄筋コンクリートにより一体に成形したものである。該縦向き桁材取付部３ａは、該支柱本体２の上端から前方（縦方向）に、即ち、複数の片持ち支柱１、１…を連設配置した場合のそれらの支柱本体２を結ぶ仮装線に直交してその一方側に延長する腕状の部材であり、他方、前記横向き桁材取付部３ｂは、該支柱本体２の上端から両側（横方向）に、即ち、前記仮装線に沿って延長した腕状の部材である。
【００４３】
前記縦向き桁材取付部３ａは、主たる縦桁材８を取り付けるための部位であり、他方、横向き桁材取付部３ｂは、最後部の横桁材７、７及びこれと縦桁材８との間に介在する後記連結補助桁７ａ、７ａを取り付けるための部位であって、図１（ａ）に示すように、それらの結合用のナット部材ｎ、ｎ…が上面で開口するように埋め込んである。
【００４４】
前記支持脚部４は、図１（ｂ）、（ｃ）に示すように、前記支柱本体２の下端から前方に延長した縦向き脚部４ａと、該支柱本体２の下端から両側に延長した横向き脚部４ｂとからなり、いずれも、先に述べたように、鉄筋コンクリートにより前記支柱本体２と一体に成形したものである。該縦向き脚部４ａは、支柱本体２の下端から前方に向かって水平に延長し、途中に下向き傾斜した傾斜部６を形成し、更に該傾斜部６の先端から水平に延長した先端延長部４ｃを構成したものである。該縦向き脚部４ａには、その上面中央に沿って前記支柱本体２のリブ状に膨らむ部位から連続するリブ状補強部５を形成し、その補強を図ってある。
【００４５】
前記縦向き脚部４ａに於ける基部２ａ側と先端延長部４ｃとの間の高低差は前記支柱本体２が負荷によって前方に傾こうとするのを防止するのに役立つ。
【００４６】
前記横向き脚部４ｂは、前記支柱本体２の下端から両側に水平に延長したものであり、横方向への負荷に対する備えである。
【００４７】
次に、以上の片持ち支柱１を用いて二つの隣接家屋１２、１２の間の狭いスペースに屋上部１６に物置１３、１３…を配した駐車場１５を建造する例を説明する。
【００４８】
まず初めに隣接家屋１２、１２間の土地の駐車場１５として用いることが可能な範囲を確定し、その駐車スペースとするエリアの一方の縁に沿って所定間隔で支柱立設用のポイントを決定し、該各ポイントにコンクリートによる支柱設置面を構成する。
【００４９】
該支柱設置面は、これを構成すべき範囲を若干広く掘り下げ、砂利を配した上で、コンクリートを打設し、不陸を調整して、高さの異なる基部設置面と先端設置面とを構成する。前記基部設置面は、設置する片持ち支柱１に於ける支柱本体２の基部２ａ及び支持脚部４の横向き脚部４ｂがその上に載置される面であり、前記先端設置面は支持脚部４の縦向き脚部４ａに於ける先端延長部４ｃがその上に載置される面である。前者が高く、後者が低い位置に配されるべきであるが、その高さの差は、該支柱本体２の基部２ａ及び横向き脚部４ｂの下面の高さと、先端延長部４ｃの下面の高さの差に一致させるものとする。
【００５０】
また前記基部設置面と前記先端設置面とは、いずれも駐車面より低い位置に位置するように構成し、駐車面と一致する高さまでコンクリートを配した場合に、該基部設置面と先端設置面に設置した片持ち支柱１の支持脚部４が該コンクリート中に埋設されうるようにその高さを設定する。
【００５１】
他方、駐車スペースを構成すべきエリア及び階段の最下端部についてもそれぞれ掘り下げて型枠を構成し、その内側に砂利を敷き、かつ鉄筋を配した上で、コンクリートを打設する。このとき、該駐車スペースエリアに沿って所定間隔で構成した支柱設置面にそれぞれ片持ち支柱１を立設配置して置き、前記コンクリートの打設と同時にその支柱設置面に配した片持ち支柱１の支持脚部４の周囲にもコンクリートを打設する。
【００５２】
上記コンクリートが硬化した後に、図２（ａ）に示すように、前記各片持ち支柱１、１…の縦向き桁材取付部３ａには縦桁材８を取り付ける。該縦向き桁材取付部３ａにその長さを越える所定長さの縦桁材８を載置し、該縦桁材８を、これに予め開口してあるボルト孔を通じて結合用ボルトを差し込み、かつ該結合用ボルトを該縦向き桁材取付部３ａに予め埋設してあるナット部材ｎ、ｎ…に螺合して固定するものである。
【００５３】
上記縦桁材８としては、この実施例ではＨ形鋼を用い、その後端、前端及び中間の両側に連結補助桁７ａ、７ａ…を予め固設したものを用いる。図２（ｂ）、（ｃ）に示すように、連結補助桁７ａ、７ａ…は、それぞれ縦桁材８側に向かって中央板部を突出させた短寸のＨ形鋼であり、その中央板部を該縦桁材８の前記各位置に挿入して該各位置に溶接固定したものである。縦桁材８の後端の連結補助桁７ａ、７ａは、前記桁取付部３の横向き桁取付部３ｂに載った状態となる。従って縦桁材８を縦向き桁材取付部３ａに結合用ボルト及びナット部材ｎによって固定する際には、該縦桁材８の後端の連結補助桁７ａ、７ａもまたこれに予め開口してあるボルト孔を通じて結合用ボルトを差し込み、かつ該結合用ボルトを該横向き桁材取付部３ｂに予め埋設してあるナット部材ｎ、ｎ…に螺合することにより固定するものである。
【００５４】
こうして全ての片持ち支柱１、１…の縦向き桁材取付部３ａに縦桁材８を取り付けた後、それらの隣接する縦桁材８、８の間に、それぞれ、横桁材７、７…及び中間位置の縦桁材８を組み合わせた桁組を接続する。これは、図２（ｂ）、（ｃ）に示すように、相互に対応する横桁材７を対応する縦桁材８の連結補助桁７ａに連結することによって行うもので、具体的には、相互に突き合わせた連結補助桁７ａと横桁材７の中央板部に両側から連結片７ｂ、７ｂを挟持状態に配し、かつそれぞれのボルト孔を通じてボルトを挿入すると共にナットを螺合して締め付け、これによって相互を連結固定するものである。かくして、現場では、ボルトナットの締付作業のみによって、図２（ａ）に示すように、屋上用構造が構成されることになる。
【００５５】
屋上用構造を構成する各縦桁材８、８…及び横桁材７、７…の上には、図５に示すように、屋上用床材として板材１４を一面に敷き、ボルト・ナットで固定する。
【００５６】
また、図３〜図５に示すように、屋上に上るための階段９を設置し、屋上の周囲には転落防止用の手摺１１を設ける。この階段９の構成は一般的なそれであり、説明を省略する。
【００５７】
更に、図３〜図５に示すように、屋上には一列に物置１３、１３…を配置し、かつその右端に手荷物昇降用のエレベータ１０を設置する。このエレベータ１０としては、この実施例では、電動式のそれを用いた。図示していないスイッチ操作により簡単に動作するように構成されている。
【００５８】
従ってこの実施例では、隣接家屋１２、１２間のような狭い空間であっても、前記片持ち支柱１、１…を採用することにより、片持ち状態で簡単に一階は駐車場として利用可能であり、屋上は物置１３、１３…を設置して使用できるというように、空間を有効に活用することが可能となったものである。
【００５９】
また前記片持ち支柱１、１…を採用したため、十分な強度を持った安全かつ確実な車庫の躯体構造を構成することが可能となったものでもある。
【００６０】
更にこの実施例の屋上付き駐車場によれば手荷物昇降用のエレベータ１０が設けられているので、地上と屋上間の移動を、高齢者や身体障害者であっても、手荷物については、該エレベータ１０を利用して行うことができるので、容易にできるものとなっている。
【００６１】
【発明の効果】
本発明の１の片持ち支柱によれば、狭いスペースに於いてもその片側に一列に並べて立設することで、片持ち状態で、様々な用途に使用可能である屋上付きの駐車場を容易に実現することが可能となる。そのため残りのスペースをも有用に使用可能となる。
【００６２】
本発明の２の片持ち支柱によれば、支柱本体に荷重が偏って加えられても片持ち支柱が傾くことを効果的に防止することができることとなる。
【００６３】
本発明の３の片持ち支柱によれば、片持ち支柱の強度を高く維持することが可能となる。特に片持ち支柱には荷重が偏って加えられるので、このようにしてコンクリートの強度を上げることは重要である。
【００６４】
本発明の４の屋上付き駐車場によれば、都会に多く見られるような狭いスペース、即ち、四隅に支柱を設置するだけの余裕がないような狭い土地に於いても、屋上付き駐車場を容易に実現することができることとなる。
【００６５】
本発明の５の屋上付き駐車場によれば、屋上と地上との間を結ぶ手荷物用のエレベータを付設したので、簡単に荷物を屋上に移動させ、屋上の物置に収納することが可能となる。
【図面の簡単な説明】
【図１】（ａ）は片持ち支柱の平面図。
（ｂ）は片持ち支柱の側面図。
（ｃ）は片持ち支柱の正面図。
（ｄ）は（ｂ）のＡ−Ａ線切断部端面図。
【図２】（ａ）は片持ち支柱に縦桁材と横桁材を配した状態を示す要部斜視図。
（ｂ）は分離状態の縦桁材、連結補助桁、連結片及び横桁材を示す側面図。
（ｃ）は連結状態の縦桁材、連結補助桁、連結片及び横桁材を示す側面図。
【図３】屋上に物置を配した屋上付き駐車場の概略正面図。
【図４】屋上に物置を配した屋上付き駐車場の概略側面図。
【図５】屋上に物置を配した屋上付き駐車場の概略平面図。
【符号の説明】
１    片持ち支柱
２    支柱本体
２ａ  基部
３    桁材取付部
３ａ  縦向き桁材取付部
３ｂ  横向き桁材取付部
４    支持脚部
４ａ  縦向き脚部
４ｂ  横向き脚部
４ｃ  先端延長部
５    リブ状補強部
６    傾斜部
７    横桁材
７ａ  連結補助桁
７ｂ  連結片
８    縦桁材
９    階段
１０  エレベータ
１１  手摺
１２  隣接家屋
１３  物置
１４  板材
１５  駐車場
１６  屋上部
ＧＬ  グランドライン
ｎ    ナット部材
【図１】
2004257045.tif 000003
【図２】
2004257045.tif 000004
【図３】
2004257045.tif 000005
【図４】
2004257045.tif 000006
【図５】
2004257045.tif 000007